(57)【要約】【課題】無線局を介するデータ通信に関わる通信環境に応じて、無線局との接続による消費電力を低減するよう動作を切り替える。【解決手段】無線通信装置は、接続候補に設定された無線局の識別情報および無線局が音声通話に対応するか否かを示す種別情報を含む無線局プロファイルを管理するプロファイル管理部と、無線局または他の無線局が発する識別情報を含んだ信号を受信する受信部と、無線局プロファイルにおける音声通話に対応する無線局を対象として、当該無線局との接続のためのスキャン動作をする第１走査部と、無線局プロファイルにおける音声通話に対応しない無線局を対象として、当該無線局との接続のための動作でありかつ第１走査部によるスキャン動作とは時間設定が異なるスキャン動作をする第２走査部と、無線局プロファイルにおける受信部によって受信された信号に含まれる識別情報に該当する無線局の種別情報に応じて、第１走査部および第２走査部の双方または片方にスキャン動作を実行させる走査管理部とを備える。【選択図】図２
2011250342.tif 000002
【特許請求の範囲】
【請求項１】
無線局を介して他の装置とデータ通信をする無線通信装置であって、
接続候補に設定された無線局の識別情報および前記無線局が音声通話に対応するか否かを示す種別情報を含む無線局プロファイルを管理するプロファイル管理部と、
前記無線局または他の無線局が発する識別情報を含んだ信号を受信する受信部と、
前記無線局プロファイルにおける音声通話に対応する無線局を対象として、当該無線局との接続のためのスキャン動作をする第１走査部と、
前記無線局プロファイルにおける音声通話に対応しない無線局を対象として、当該無線局との接続のためのスキャン動作でありかつ前記第１走査部によるスキャン動作とは時間設定が異なるスキャン動作をする第２走査部と、
前記無線局プロファイルにおける前記受信部によって受信された信号に含まれる識別情報に該当する無線局の種別情報に応じて、前記第１走査部および前記第２走査部の双方または片方にスキャン動作を実行させる走査管理部と、を備える
ことを特徴とする無線通信装置。
【請求項２】
前記受信部が下限値以上の強度の信号を受信できない状態において、前記走査管理部は、前記第１走査部に前記第２走査部よりも長くスキャン動作を実行させる
請求項１記載の無線通信装置。
【請求項３】
並行してスキャン動作をしている前記第１走査部および前記第２走査部の一方が検出した無線局と接続が確立した場合、前記走査管理部は他方の走査部のスキャン動作を停止させる
請求項２記載の無線通信装置。
【請求項４】
音声通話に対応する無線局と接続している状態において、当該無線局からの信号の受信強度が前記下限値より大きい閾値以下に低下した場合に、前記走査管理部は前記第１走査部にスキャン動作を実行させて前記第２走査部にスキャン動作を実行させない
請求項１ないし３のいずれかに記載の無線通信装置。
【請求項５】
無線局を介して他の装置とデータ通信をする無線通信装置において実行されるコンピュータプログラムであって、
接続候補に設定された無線局の識別情報および前記無線局が音声通話に対応するか否かを示す種別情報を含む無線局プロファイルを管理するプロファイル管理部と、
前記無線局プロファイルにおける音声通話に対応する無線局を対象として、当該無線局との接続に特有のスキャン動作をする第１走査部と、
前記無線局プロファイルにおける音声通話に対応しない無線局を対象として、当該無線局との接続のためのスキャン動作でありかつ前記第１走査部によるスキャン動作とは時間設定が異なるスキャン動作をする第２走査部と、
前記無線局プロファイルにおける受信された信号に含まれる識別情報に該当する無線局の種別情報に応じて、前記第１走査部および前記第２走査部の双方または片方にスキャン動作を実行させる走査管理部と、を備える装置として前記無線通信装置を動作させる
ことを特徴とするコンピュータプログラム。
【発明の詳細な説明】
【技術分野】
【０００１】
本願は、ＷＬＡＮ(Wireless Local Area Network)を介するパケット通信が可能な無線通信装置および無線通信装置において実行されるコンピュータプログラムに関する。
【背景技術】
【０００２】
ＷＬＡＮに接続するためのＷＬＡＮインタフェースを内蔵した携帯電話端末が実用化されている。この種の携帯電話端末は、基本機能である携帯電話のための回線交換式の通信に加えて、ＷＬＡＮを用いるパケット通信を行うことができる。
【０００３】
携帯電話端末におけるＷＬＡＮの用途は、音声通話（音声系動作）とそれ以外のデータ通信（データ系動作）とに大別される。音声系動作は、パケット化した音声情報をＶｏＩＰ（Voice over Internet Protocol）を用いて送受信するＩＰ電話の手法によって実現される。音声系動作は、例えば企業における内線電話機としての携帯電話端末の利用を可能にする。データ系動作の代表例は、インターネット上のウェブサイトのブラウジングである。フルブラウザを備える携帯電話端末は、パーソナルコンピュータ向けに設計されたウェブサイトのブラウジングが可能である。
【０００４】
音声系動作では、何時あるか判らない着信に対応するため、ＷＬＡＮの無線局であるアクセスポイント（以下、ＡＰという）との通信が可能な状態を常に保つのが好ましい。ＡＰから遠ざかるかまたは他の何らかの原因でＡＰからのビーコンの受信強度が低下すると、携帯電話端末はＡＰを探索するスキャン動作を行う（特許文献１）。ただし、通信圏外でのスキャン動作は結果的に不要である。不要なスキャン動作による無駄な電力消費を抑える方法として、スキャン間隔を徐々に広げてスキャン回数を減らす方法が知られている（特許文献２）。
【０００５】
一方、ブラウジングのようなデータ系動作については、ユーザの意識的な操作によって開始されるのが通例である。したがって、音声系動作を実行する機能を備えていない携帯電話端末においては、データ系動作の終了時点または終了から所定の待ち時間が経過した時点でＷＬＡＮインタフェースをオフ状態にすることによって消費電力を低減することができる。
【先行技術文献】
【特許文献】
【０００６】
【特許文献１】特開２００５−１７５９３２号公報
【特許文献２】特開２００６−１３５４９号公報
【発明の概要】
【発明が解決しようとする課題】
【０００７】
ＷＬＡＮインタフェースを備える無線通信装置において、音声系動作を行う機能およびデータ系動作を行う機能を共に実装することは、多機能化の上で好ましい。そして、様々な通信環境での使用を想定して消費電力の低減を図ることによって無線通信装置の実用性が高まる。
【０００８】
そこで、本願は、無線局を介するデータ通信に関わる通信環境に応じて、無線局との接続による消費電力を低減するよう動作することが可能な無線通信装置を提案する。
【課題を解決するための手段】
【０００９】
無線局を介して他の装置とデータ通信をする無線通信装置は、接続候補に設定された無線局の識別情報および前記無線局が音声通話に対応するか否かを示す種別情報を含む無線局プロファイルを管理するプロファイル管理部と、前記無線局または他の無線局が発する識別情報を含んだ信号を受信する受信部と、前記無線局プロファイルにおける音声通話に対応する無線局を対象として、当該無線局との接続のためのスキャン動作をする第１走査部と、前記無線局プロファイルにおける音声通話に対応しない無線局を対象として、当該無線局との接続のためのスキャン動作でありかつ前記第１走査部によるスキャン動作とは時間設定が異なるスキャン動作をする第２走査部と、前記無線局プロファイルにおける前記受信部によって受信された信号に含まれる識別情報に該当する無線局の種別情報に応じて、前記第１走査部および前記第２走査部の双方または片方にスキャン動作を実行させる走査管理部とを備える。
【発明の効果】
【００１０】
無線局が音声通話に対応するか否か、および無線局の通信圏内に位置するか否かといった通信環境に応じて、スキャン動作の体系を切り替えることができる。
【図面の簡単な説明】
【００１１】
【図１】無線通信装置の使用環境の一例を示す図である。
【図２】無線通信装置の構成を示す図である。
【図３】実施例１における通信圏内での動作を示す図である。
【図４】実施例１における状態変化に対応した動作を示す図である。
【図５】実施例１における音声系およびデータ系の各走査部の動作を示す図である。
【図６】プロファイル登録処理の流れを示す図である。
【図７】ＡＰ判定処理の流れを示す図である。
【図８】ＡＰ判定処理の変形例の流れを示す図である。
【図９】実施例１における音声系スキャン処理の流れを示す図である。
【図１０】実施例１におけるデータ系スキャン処理の流れを示す図である。
【図１１】実施例１における待機状態からの復帰動作の流れの一部を示す図である。
【図１２】実施例１における待機状態からの復帰動作の流れの一部を示す図である。
【図１３】実施例１における待機状態からの復帰動作の流れの一部を示す図である。
【図１４】実施例１における待機状態からの復帰動作の流れの一部を示す図である。
【図１５】実施例２における通信圏内での動作を示す図である。
【図１６】実施例２における状態変化に対応した動作を示す図である。
【図１７】実施例２における音声系およびデータ系の走査部の動作を示す図である。
【図１８】実施例２における音声系スキャン処理の流れを示す図である。
【図１９】実施例２におけるデータ系スキャン処理の流れの一部を示す図である。
【図２０】実施例２におけるデータ系スキャン処理の流れの一部を示す図である。
【図２１】実施例２における待機状態からの復帰処理の流れを示す図である。
【発明を実施するための形態】
【００１２】
無線通信装置として携帯電話端末を例に挙げる。図１に示す携帯電話端末１は、通信事業者によって構築された携帯電話サービスエリア内で回線交換式の通信を行うことができるとともに、ＷＬＡＮの無線局であるＡＰ（アクセスポイント）の通信圏内でパケット通信を行うことができる。携帯電話端末１にはパケット通信機能として、音声通話を可能にする音声系機能、およびインターネットを経由するブラウジングを可能にするデータ系機能の双方が実装されている。音声通話は、図示しないＳＩＰ（Session Initiation Protocol）サーバを有するＩＰ電話ネットワークに接続された音声系ＡＰ２の通信圏で利用可能な通信サービスである。ブラウジングは、音声通話に対応しないデータ系ＡＰ３の通信圏および音声系ＡＰ２の通信圏で利用可能な通信サービスである。
【００１３】
ＷＬＡＮの通信圏は、音声系とデータ系とにかかわらず、単一または複数のＡＰ２，３によって形成される。例えばIEEE 802.11b/gに準拠する複数のＡＰを用いて一つの通信圏を形成する場合、１４個または１３個のチャンネルから最大４個のチャンネルを適切に選んで各ＡＰに割り当てることにより、ＡＰ間の電波の干渉を防ぐことができる。隣接するＡＰのチャンネルが異なりかつ個々のＡＰの通信可能領域が重なるように複数のＡＰを適切に配置すれば、任意の大きさの通信圏を形成することができる。任意数のＡＰによって形成される一つの通信圏には、識別子として一つのＥＳＳＩＤ(Extended Service Set Identifier)が付与される。
【００１４】
携帯電話端末１の音声系機能は、例えば企業の内線電話システムに利用することができる。会社の音声系ＡＰ通信圏では内線電話端末として、自宅やホットスポットのデータ系ＡＰ通信圏ではインターネット端末として使用するといった使用形態が考えられる。ただし、内線電話端末に限らず、インターネットを介して任意の相手と通話するパーソナルユースのＩＰ電話端末として携帯電話端末１を使用することも可能である。
【００１５】
図１では一つの音声系ＡＰ通信圏とデータ系ＡＰ通信圏とが一つずつ描かれているが、通信圏の数は任意である。例えば、内線電話ネットワークにおいて、部署ごとや部屋ごとに音声系ＡＰ通信圏が形成される場合がある。その場合、後述のように複数の音声系ＡＰ通信圏をプロファイルに登録しておけば、ユーザは複数の音声系ＡＰ通信圏のそれぞれにおいて携帯電話端末１を使用することができる。
【００１６】
また、図１では音声系ＡＰ通信圏およびデータ系ＡＰ通信圏が携帯電話サービスエリアに包含されているが、これに限らない。音声系ＡＰ通信圏およびデータ系ＡＰ通信圏の一方または両方が全体的または部分的に携帯電話サービスエリアに含まれなくてもよい。ＷＬＡＮを用いるパケット通信に関わる動作では、音声系ＡＰ通信圏内、データ系ＡＰ通信圏内、およびＡＰ通信圏外のいずれに携帯電話端末１が位置するかが重要である。携帯電話サービスエリアの内でも外でもいずれでもよい。
【００１７】
さらに、音声系ＡＰ２であっても携帯電話端末１においてＳＩＰ登録設定がなされなければ、携帯電話端末１から見てデータ系ＡＰになる。逆にデータ系ＡＰ３であっても、ＳＩＰ登録設定が可能でかつその設定がなされたならば、音声系ＡＰ２となる。
【００１８】
図２は携帯電話端末１の構成を示す。携帯電話端末１は、制御部１０、記憶部２０、無線通信部２２、入力部２４、出力部２６、および図示しない駆動電源としてのバッテリを備える。制御部１０は、ハードウェア要素として図示しないＣＰＵ(central processing unit)を有するコンピュータシステム部であり、携帯電話端末１の動作を制御する。記憶部２０は、図示しない不揮発性メモリを有し、制御プログラムおよびユーザデータを含む各種データを記憶する。無線通信部２２は、ＷＬＡＮに接続するためのＷＬＡＮインタフェース（図ではＷＬＡＮ−ＩＦと表記されている）２３を備え、携帯電話通信およびＷＬＡＮ通信のための高周波の送受信を担う。入力部２４は、操作キー群およびタッチパネルを有する操作入力のためのユーザインタフェースである。入力部２４には通話のためのマイクが含まれる。出力部２６は、液晶パネルおよびＬＥＤ(Light Emitting Diode)を有する表示のためのユーザインタフェースである。出力部２６には通話のためのスピーカが含まれる
制御部１０は、ＷＬＡＮとの接続に関わる四つの機能要素を有する。それらは、プロファイル管理部１２、音声系走査部１４、データ系走査部１６、および走査管理部１８である。これら四つの要素は、制御部１０においてプログラムが実行されることによって実現される。
【００１９】
プロファイル管理部１２は、記憶部２０によって記憶されるプロファイル設定情報Ｔ１を管理する。プロファイル設定情報Ｔ１は、「プロファイルの名称」「ESSID」「ＳＩＰ接続情報」および図示しない「チャンネル」などの項目を有するデータテーブルであり、接続候補となる通信ネットワークを示す。このプロファイル設定情報Ｔ１に関連する種別情報として、記憶部２０には音声系プロファイルリストＬ１およびデータ系プロファイルリストＬ２が記憶される。音声系プロファイルリストＬ１は、プロファイル設定情報Ｔ１に登録されたプロファイル（ネットワーク設定）のうちで音声通話に対応するプロファイルである音声系プロファイルを示す。データ系プロファイルリストＬ２は、プロファイル設定情報Ｔ１に登録されたプロファイルのうちで音声通話に対応しないプロファイルであるデータ系プロファイルを示す。プロファイル管理部１２は、ユーザによる所定のプロファイル登録操作に応答して、各項目の入力情報をプロファイル設定情報Ｔ１に記録する。そのとき、プロファイル管理部１２は、項目「ＳＩＰ接続情報」の設定内容によってプロファイルを音声系プロファイルとデータ系プロファイルとのいずれかに分類する。本実施形態では、項目「ＳＩＰ接続情報」にＳＩＰサーバと接続するための有効な情報が記録されたプロファイルが音声系プロファイルとされ、それ以外がデータ系プロファイルとされる。また、プロファイル管理部１２は、ＡＰからの信号を受信してＡＰのESSIDを取得すると、取得したESSIDに該当するプロファイルが音声系かデータ系かを判定し、判定結果に応じて音声系プロファイルリストＬ１またはデータ系プロファイルリストＬ２を作成する。
【００２０】
なお、音声系プロファイルリストＬ１およびデータ系プロファイルリストＬ２については、図２に示されるようにプロファイル設定情報Ｔ１と分けて記録してもよいし、プロファイル設定情報Ｔ１に項目を設けて音声系かデータ系かの種別を記録してもよい。つまり、音声系プロファイルとデータ系プロファイルとの区別を取得するデータ参照に適するよう記録形式を適宜選定することができる。
【００２１】
音声系走査部１４は、音声系プロファイルリストＬ１が示す音声系プロファイルのみを対象として、ＡＰを探索しまたはＡＰとの接続を維持するためのスキャン動作を実行する。例えば、図２の例では名称が「office3F」と「office2F」の二つのプロファイルが音声系走査部１４によるスキャン動作の対象となる。音声系走査部１４は、対象プロファイルの一つに注目し、登録されているチャンネルでＡＰと通信可能か否かをＷＬＡＮインタフェース２３と連携して調べる。通信可能であれば、音声系走査部１４はＡＰと交信して接続を確立する。電波強度が不十分で通信不能であれば、音声系走査部１４は注目している対象プロファイルにおいて登録されている他のチャンネルでの通信を試みる。登録されている全てのチャンネルで通信不能であれば、音声系走査部１４は他の対象プロファイルに注目して同様に通信の可否を調べる。全ての対象プロファイルにおいて通信不能である状態は、携帯電話端末１が音声系ＡＰ通信圏外に位置しまたはそれに相当する状態である。この状態において、音声系走査部１４は、ＷＬＡＮインタフェース２３の使用頻度の小さいスキャン動作（圏外スキャン）を実行する。
【００２２】
データ系走査部１６は、データ系プロファイルリストＬ２が示すデータ系プロファイルのみを対象として、ＡＰを探索しまたはＡＰとの接続を維持するためのスキャン動作を実行する。例えば、図２の例では名称が「eigyosho-1」と「home」の二つのプロファイルがデータ系走査部１６によるスキャン動作の対象となる。登録されているチャンネルごとに通信の可否を調べる手順は、音声系走査部１４によるスキャン動作と同様である。
【００２３】
これら音声系走査部１４およびデータ系走査部１６が実行するスキャン動作には、広く知られる二つの形式がある。一つはＡＰからのビーコンを待ち受けるパッシブスキャンであり、他の一つはESSIDを含むプローブ要求をブロードキャストするアクティブスキャンである。本実施形態の携帯電話端末１では、スキャン動作に関して「自動(Auto)」「パッシブ(Passive)」および「アクティブ(Active)」の三つのモードが設けられている。省電力の観点では「パッシブ」が有利であり、接続の早さの観点では「アクティブ」が有利である。デフォルトはパッシブとアクティブとを使い分ける「自動(Auto)」である。ユーザはこれら三つのモードのいずれかを指定することができる。各モードの動作の詳細について後述する。
【００２４】
走査管理部１８は、携帯電話端末１に関わる状況変化に応じて、音声系走査部１４およびデータ系走査部１６の片方または両方を動作させたり停止させたりする。例えば、あるＡＰとの接続が維持されている状態では、走査管理部１８は音声系走査部１４およびデータ系走査部１６の一方のみを動作させて他方を停止させる。すなわち、走査管理部１８は、音声系ＡＰと接続している場合にデータ系走査部１６を停止させ、データ系ＡＰと接続している場合に音声系走査部１４を停止させる。
【００２５】
以上の構成の携帯電話端末１においては、通信可能なＡＰが音声系ＡＰであるかデータ系ＡＰであるかによってスキャン動作の体系が切り替えられる。音声系ＡＰ通信圏内では、音声通話の着信に即座に応答できるように接続を維持する体系が適用される。これに対して、データ系ＡＰ通信圏内では、基本的にはＷＬＡＮ通信が行われるときのみ接続を維持する体系が適用される。本実施形態では、音声系ＡＰ通信圏でありかつデータ系ＡＰ通信圏でもある場合には、音声系が優先とされて、常に接続を維持する体系が適用される。
【００２６】
携帯電話端末１の使用に際して、ＷＬＡＮに関係する様々な状態が起き得る。例えば、ＡＰとの接続が維持されている接続状態、節電のために機能の一部を停止させた待機状態、待機状態を解除する操作が行われた状態、通信圏の内から外へまたは外から内へ移動した状態などがある。次に、このような様々な状態を想定した動作の二つの例（実施例１、実施例２）を挙げる。
【００２７】
実施例１、２の説明において、電力供給を停止することまたは停止された状態を「OFF」と表現し、電力供給を開始することまたは電力が供給されている状態を「ON」と表現することがある。また、以下の説明で参照する図面において、「WLAN:OFF」の表記はＷＬＡＮインタフェース２３への電力供給が停止された状態を意味する。音声系ＡＰ通信圏内を「音声系圏内」と略し、音声系ＡＰ通信圏外を「音声系圏外」と略し、データ系ＡＰ通信圏内を「データ系圏内」と略し、データ系ＡＰ通信圏外を「データ系圏外」と略す。そして、音声系圏外でありかつデータ系圏外である領域を「圏外」という。
【実施例１】
【００２８】
実施例１は、音声系動作時の圏外状態において、ＷＬＡＮインタフェース２３への駆動電力の供給を停止する動作例である。図３に通信圏内の動作が示される。
【００２９】
[場合１]  音声系圏内においてビーコンの受信電界強度が十分に大きい場合（強電界強度）、音声系走査部１４は帰属しているＡＰから一定周期（例えば１００ｍｓ）で発信されるビーコンを例えば１秒間隔で受信して受信電界強度を監視する（ビーコン受信）。データ系走査部１６は動作を停止している。
【００３０】
[場合２]  音声系圏内においてビーコンの受信電界強度が比較的に小さい場合（弱電界強度）、音声系走査部１４は、他のＡＰを探索するスキャン動作（いわゆるハンドオーバ動作）を実行する。このとき、対象となるＡＰは上述のとおり音声系プロファイルリストＬ１に記録されたプロファイルに該当するＡＰのみである。データ系走査部１６は動作を停止しており、データ系プロファイルリストＬ２に記録されたプロファイルに該当するＡＰの探索は行われない。探索の対象が音声系ＡＰに限定されるので、データ系ＡＰを含む全てのＡＰを探索する場合と比べて、好ましいＡＰをより早期に検出する確率が大きい。このことは、電力削減効果に加え、音声通話中にＡＰ探索が行われたときにノイズ音として現れるおそれのある通話の寸断をより短くして音声品質を向上させる効果を奏する。
【００３１】
[場合３]  データ系圏内においてＷＬＡＮインタフェース２３がONであれば、データ系走査部１６はビーコンを受信する。データ系圏内では音声系走査部１４は通常は動作を停止している。節電のために液晶パネルのバックライトが消灯（画面OFF）すると、画面OFFから一定時間（例えば１５分）が経過した時点で、ＷＬＡＮインタフェース２３がOFFとされ、データ系走査部１６が動作を停止する。
【００３２】
[場合４]  データ系圏内においてＷＬＡＮインタフェース２３がOFFである場合、音声系走査部１４およびデータ系走査部１６は共に停止している。
【００３３】
[場合５]  データ系圏内でＷＬＡＮインタフェース２３がOFFの状態でユーザ操作に呼応して画面がOFFからONに遷移した場合、データ系走査部１６はＡＰを探索するスキャン動作を実行する。探索の対象は、データ系プロファイルリストＬ２に記録されたプロファイルに該当するＡＰである。これと並行して、音声系走査部１４は圏外スキャン動作を実行する。この場合の圏外スキャンの形態は、ビーコンの受信（Passiveのとき）またはプローブ要求のブロードキャスト（Activeのとき）を一定の間隔で繰り返す間隔固定型である。そして、その間隔は後述する間隔変更型における最大間隔（例えば５分）と等しい。つまり、音声系ＡＰを検出できないと予想されるので、電力を消費するＡＰ探索の実行回数が最小限とされる。データ系走査部１６がＡＰを検出すると、ＡＰとの間で認証およびアソシエーションが行われ、当該ＡＰに携帯電話端末１が帰属する。データ系走査部１６から走査管理部１８に帰属が通知されると、直ちに走査管理部１８は音声系走査部１４の動作を停止させる。
【００３４】
図４に種々の状態変化に対応した動作が示される。
【００３５】
[場合６]  図中に波線矢印で示されるように携帯電話端末１が音声系圏内から圏外へ移動した場合、音声系走査部１４は圏外スキャンを開始する。データ系走査部１６は動作を停止している。この場合の圏外スキャンの形態は、ビーコンの受信またはプローブ要求のブロードキャストをスキャン開始直後は頻繁に実行し、その後は徐々に実行間隔を長くする間隔変更型である。例えば、２秒間隔から５分間隔へと間隔が変更される。この形態では、ＡＰ探索の実行密度が時間の経過につれて密から疎に変化する。間隔変更型であれば、圏外に移動して直ぐに音声系圏内に戻るという状況において、音声系圏内に戻ると直ぐにＡＰとの接続を確立することができる。このような圏外スキャンの開始から一定時間（例えば３０分）が経過してもＡＰが検出されない場合、ＷＬＡＮインタフェース２３がOFFとされ、音声系走査部１４が動作を停止する。
【００３６】
[場合７]  圏外においてＷＬＡＮインタフェース２３がOFFである状態で画面OFFを解除するユーザ操作が行われた場合、音声系走査部１４は圏外スキャンを開始する。この場合の圏外スキャンは間隔固定型である。この場合も、圏外スキャンの開始から一定時間（例えば３０分）が経過してもＡＰが検出されない場合、ＷＬＡＮインタフェース２３がOFFとされ、音声系走査部１４が動作を停止する。音声系走査部１４による圏外スキャンと並行して、データ系走査部１６はスキャン動作をする。登録されているデータ系プロファイルに関わるチャンネルでひと通りＡＰを探索して検出できなければ、データ系走査部１６は動作を停止する。
【００３７】
[場合８]  通信中にデータ系圏内から圏外へ移動した場合、データ系走査部１６は履歴情報に基づいて接続実績のあるＡＰが属するデータ系圏内のＡＰを探索するスキャン動作をする。音声系走査部１４は動作を停止している。この場合、ＡＰは検出されない。画面がOFFとなって一定時間（例えば１５分）が経過した時点で、ＷＬＡＮインタフェース２３がOFFとされ、データ系走査部１６が動作を停止する。
【００３８】
[場合９]  ＷＬＡＮインタフェース２３がOFFの状態のままデータ系圏内から圏外へ移動し、圏外で画面OFFを解除するユーザ操作が行われた場合、音声系走査部１４は圏外スキャンを開始し、これと並行してデータ系走査部１６はスキャン動作をする。音声系走査部１４による圏外スキャンの形態は最初から間隔を最大値とする間隔固定型である。この場合、ＡＰは検出されず、音声系走査部１４は一定時間（例えば１５分）が経過した時点で動作を停止し、データ系走査部１６はひと通りのＡＰ探索を終えると動作を停止する。音声系走査部１４の動作の停止を受けて走査管理部１８がＷＬＡＮインタフェース２３をOFFとする。
【００３９】
[場合１０]  圏外においてＷＬＡＮインタフェース２３がOFFの状態で画面OFFを解除するユーザ操作が行われ、その後に圏外から音声系圏内へ移動した場合、音声系走査部１４は圏外スキャンを開始し、これと並行してデータ系走査部１６はスキャン動作をする。音声系走査部１４による圏外スキャンの形態は最初から間隔を最大値とする間隔固定型である。音声系圏内で音声系走査部１４がＡＰを検出すると、ＡＰとの間で認証およびアソシエーションが行われ、当該ＡＰに携帯電話端末１が帰属する。音声系走査部１４から走査管理部１８に帰属が通知されると、直ちに走査管理部１８はデータ系走査部１６の動作を停止させる。
【００４０】
[場合１１]  ＷＬＡＮインタフェース２３がOFFの状態のまま圏外から音声系圏内へ移動し、その後に音声系圏内で画面OFFを解除するユーザ操作が行われた場合、音声系走査部１４およびデータ系走査部１６はスキャン動作をする。音声系走査部１４がＡＰを検出し、当該ＡＰに携帯電話端末１が帰属すると、走査管理部１８はデータ系走査部１６の動作を停止させる。
【００４１】
図５は、音声系走査部１４およびデータ系走査部１６のモード設定別の動作を示す。
【００４２】
[音声系走査部の動作]  音声系走査部１４は、音声系圏内において、AutoまたはActiveの場合には５秒間隔でアクティブスキャンを行い、Passiveの場合には同じく５秒間隔でパッシブスキャンを行う。圏外において、音声系走査部１４は、AutoまたはPassiveの場合には間隔変更型のパッシブスキャンを行い、Activeの場合には同じく間隔変更型のアクティブスキャンを行う。ＷＬＡＮインタフェース２３のONに呼応して、音声系走査部１４は、AutoまたはPassiveの場合には５分間隔でパッシブスキャンを行い、Activeの場合には同じく５分間隔でアクティブスキャンを行う。データ系走査部１６によってＡＰが検出されると、モード設定がいずれであっても、音声系走査部１４はスキャン動作を停止する。また、音声系走査部１４は、ユーザ操作に呼応してＷＬＡＮ接続可能リストを表示するときには、モード設定がいずれであっても、音声系プロファイルを対象にパッシブスキャンを行う。
【００４３】
[データ系走査部の動作]  データ系走査部１６は、ＡＰに接続している状態において、モード設定がいずれであっても、画面OFFから１５分後にＷＬＡＮインタフェース２３をOFFにする。接続状態で圏外に移動したとき、データ系走査部１６は、AutoまたはPassiveの場合には履歴の示すＡＰを対象にパッシブスキャンを行い、Activeの場合には同じく履歴の示すＡＰを対象にアクティブスキャンを行う。ＷＬＡＮインタフェース２３のONに呼応して、データ系走査部１６は、AutoまたはPassiveの場合には履歴の示すＡＰを対象にパッシブスキャンを行い、Activeの場合には同じく履歴の示すＡＰを対象にアクティブスキャンを行う。ＡＰを検出した後は、モード設定がいずれであっても、データ系走査部１６はビーコン受信動作に移行する。音声系走査部１４によってＡＰが検出されると、モード設定がいずれであっても、データ系走査部１６はスキャン動作を停止する。ＷＬＡＮ接続可能リストを表示するときには、モード設定がいずれであっても、データ系走査部１６はデータ系プロファイルを対象にパッシブスキャンを行う。そして、データ系走査部１６は、接続状態でビーコン受信強度が低下してもハンドオーバ動作をせずに、ビーコン受信動作を続ける。
【００４４】
次にフローチャートを参照して携帯電話端末１の動作を説明する。例示するフローチャートは、スキャン形式に関わるモード設定が「Auto」である場合の動作の流れを示している。
【００４５】
図６に示されるプロファイル登録処理がプロファイル管理部１２によって実行される。プロファイル管理部１２は、ユーザが所定の操作で入力したプロファイルをプロファイル設定情報Ｔ１として記録し（＃１０）、入力されたプロファイルにおけるＳＩＰ設定の有無をチェックする（＃１１）。プロファイル管理部１２は、ＳＩＰ設定があるプロファイルを音声系プロファイルリストＬ１に追記し（＃１２）、ＳＩＰ設定がないプロファイルをデータ系プロファイルリストＬ２に追記する（＃１３）。
【００４６】
図７に示されるＡＰ判定処理が走査管理部１８によって実行される。走査管理部１８は、ＷＬＡＮインタフェース２３を介してビーコンを受信し（＃２０）、ＡＰとの通信が既に確立しているか否かをチェックする（＃２１）。既に通信が確立している場合、走査管理部１８は、ビーコン受信動作中の音声系走査部１４またはデータ系走査部１６にビーコンを引き続き受信させる（＃２８）。一方、通信が確立していない場合（＃２１でＮＯ）、走査管理部１８は次のとおりＡＰとの接続のための処理を実行する。
【００４７】
走査管理部１８は、ビーコンからESSIDを抽出し（＃２２）、プロファイル設定情報Ｔ１を参照してESSIDが音声系とデータ系とのいずれのプロファイルに該当するかを判定する（＃２３、＃２４）。抽出したESSIDが音声系プロファイルに該当する場合、走査管理部１８はＳＩＰサーバに接続する処理を行い（＃２５）、音声系走査部１４に接続維持のための動作を開始させる。このとき、データ系走査部１６が動作中であれば、走査管理部１８はその動作を停止させる（＃２６）。抽出したESSIDがデータ系プロファイルに該当する場合、走査管理部１８は、データ系走査部１６に接続維持のための動作を開始させる（＃２７）。このとき、音声系走査部１４が動作中であれば、走査管理部１８はその動作を停止させる。
【００４８】
図８に示されるＡＰ判定処理の変形例では、プロファイル管理部１２によるプロファイルリスト作成がＡＰとの接続時に自動的に実行される。図７と同様の流れで走査管理部１８が音声系走査部１４またはデータ系走査部１６に動作を開始させた後（＃２０〜＃２７）、プロファイル管理部１２が音声系プロファイルリストＬ１またはデータ系プロファイルリストＬ２を作成する（＃２９）。ビーコンから抽出されたESSIDがＳＩＰ設定を有する音声系プロファイルに該当する場合に音声系プロファイルリストＬ１が作成され、ＳＩＰ設定を有していないデータ系プロファイルに該当する場合にデータ系プロファイルリストＬ２が作成される。
【００４９】
図９は音声系走査部１４が実行する音声系スキャン処理の流れを示す。音声系走査部１４は、音声系ＡＰとの通信が確立された接続状態において、ＡＰからの着信通知を待つ通常のビーコン処理を実行する（＃３０）。音声系走査部１４は定期的にＷＬＡＮインタフェース２３からビーコンの受信強度を取得し（＃３１）、受信強度の強弱を判定する（＃３２、＃３３）。受信強度が第１閾値よりも大きい強受信強度であれば（＃３２でＹＥＳ）、流れは＃３０に戻る。受信強度が第１閾値よりも小さくかつ接続維持の下限である第２閾値（第２閾値＜第１閾値）よりも大きい弱受信強度であれば（＃３２でＮＯかつ＃３３でＹＥＳ）、音声系走査部１４は圏内スキャン（＃３５〜＃３８）を実行する。圏内スキャンに先だって、音声系走査部１４は音声系プロファイルリストＬ１を参照する（＃３４）。
【００５０】
音声系走査部１４による圏内スキャンでは音声系ＡＰが対象となる。モード設定がAutoである場合のスキャン形式はアクティブスキャンである。この場合、音声系走査部１４は、ＡＰからのプローブ応答を受信し（＃３６）、所定の条件を満たせば（＃３７でＹＥＳ）、当該ＡＰとの通信を確立するハンドオーバ処理を実行する（＃３８）。ハンドオーバ処理を実行しない場合（＃３７でＮＯ）は直ちに流れは＃３０に戻り、ハンドオーバ処理を実行する場合はその処理の終了後に流れは＃３０に戻る。
【００５１】
一方、ビーコンの受信強度が第２閾値よりも小さい場合（＃３３でＮＯ）、音声系走査部１４は圏外スキャン（＃４２〜＃４５）を実行する。圏外スキャンに先立って、音声系走査部１４は圏外スキャンの継続時間を規定する３０分タイマをチェックし（＃３９）、動作中でなければ（＃３９でＮＯ）、３０分タイマをスタートさせる（＃４０）。
【００５２】
音声系走査部１４は音声系プロファイルリストＬ１を参照し（＃４１）、音声系ＡＰをスキャンの対象とする（＃４２）。モード設定がAutoである場合のスキャン形式はパッシブスキャンである。音声系走査部１４は、プロファイル設定情報Ｔ１に登録されているESSIDを有した十分な強度のビーコンを受信したか否かをチェックする（＃４３、＃４４）。このチェックでＹＥＳであれば、音声系走査部１４は、ＡＰと通信を確立する帰属処理を行って３０分タイマを停止させる（＃４５）。帰属処理が終われば、流れは＃３０に戻る。十分な強度のビーコンが受信できない場合（＃４４でＮＯ）、流れは＃３９に戻る。３０分タイマのスタートから３０分が経過するまでの間は、圏外スキャンが繰り返される。３０分が経過すると（＃４６でＹＥＳ）、音声系走査部１４はＷＬＡＮインタフェース２３をOFFする（＃４７）。
【００５３】
図１０はデータ系走査部１６が実行するデータ系スキャン処理の流れを示す。データ系走査部１６は、データ系ＡＰとの通信が確立された接続状態において、ＡＰからのビーコンを監視する通常のビーコン処理を実行する（＃５０）。データ系走査部１６は定期的にＷＬＡＮインタフェース２３からビーコンの受信強度を取得し（＃５１）、受信強度の強弱を判定する（＃５２）。
【００５４】
受信強度が第２閾値よりも大きい場合、すなわち圏外でない場合（＃５２でＮＯ）、データ系走査部１６はディスプレイのバックライトの状態をチェックする（＃５３）。バックライトが点灯している状態（画面ON）は、ユーザがデータ系の通信サービスを利用している状態かまたは利用しようとしていると見なされる状態である。画面ONである場合（＃５３でＹＥＳ）、データ系走査部１６はスキャン動作の継続時間を規定する１５分タイマが動作中であればそれを停止させる（＃５４、＃５５）。画面OFFである場合（＃５３でＮＯ）、データ系走査部１６は１５分タイマが動作中でなければそれをスタートさせる（＃５６、＃５７）。また、データ系走査部１６は、画面OFFであって１５分タイマのスタートから１５分が経過している場合に（＃５８でＹＥＳ）、ＷＬＡＮインタフェース２３をOFFする（＃５９）。
【００５５】
一方、圏外である場合（＃５２でＹＥＳ）、データ系走査部１６は圏外スキャン（＃６５〜＃６８）を実行する。圏外スキャンに先立って、データ系走査部１６は１５分タイマをチェックし（＃６０）、動作中でなければ（＃６０でＮＯ）、１５分タイマをスタートさせる（＃６１）。
【００５６】
データ系走査部１６はデータ系プロファイルリストＬ２を参照し（＃６４）、データ系ＡＰをスキャンの対象とする（＃６５）。モード設定がAutoである場合のスキャン形式はパッシブスキャンである。データ系走査部１６は、プロファイル設定情報Ｔ１に登録されているESSIDを有した十分な強度のビーコンを受信したか否かをチェックする（＃６６、＃６７）。このチェックでＹＥＳであれば、データ系走査部１６は、ＡＰと通信を確立する帰属処理を行って１５分タイマを停止させる（＃６８）。帰属処理が終われば、流れは＃５０に戻る。十分な強度のビーコンが受信できない場合（＃６７でＮＯ）、流れは＃６０に戻る。１５分タイマのスタートから１５分が経過するまでの間は、圏外スキャンが繰り返される。１５分が経過すると（＃６２５でＹＥＳ）、データ系走査部１６はＷＬＡＮインタフェース２３をOFFする（＃６８）。
【００５７】
図１１〜図１４はＡＰとの通信が確立している待機状態からの復帰動作の流れを示す。待機状態では、ユーザが携帯電話端末１を使用していない状態であるので、節電のために画面がOFFとなっている。
【００５８】
図１１のように、走査管理部１８は、画面ONの契機となるユーザによるロック解除操作を待つ（＃７０）。ロック解除操作があると、走査管理部１８はＷＬＡＮインタフェース２３の状態をチェックする（＃７１）。ＷＬＡＮインタフェース２３がONでなければ、走査管理部１８によってＷＬＡＮインタフェース２３がONとされ（＃７３）、その後に後述する図１３〜図１４に示される処理が実行される。ＷＬＡＮインタフェース２３がONであれば（＃７１でＹＥＳ）、ＷＬＡＮインタフェース２３を介して接続しているＡＰが音声系かデータ系かがチェックされる（＃７２）。接続しているＡＰが音声系であれば既にＡＰと接続中であるため復帰動作は行なわない。接続しているＡＰがデータ系である場合、図１１および図１２に示されるデータ系スキャン処理（＃７４〜＃９２）がデータ系走査部１６によって実行される。このデータ系スキャン処理（＃７４〜＃９２）は図１０の＃５０〜＃６８の処理と同様であるので、処理内容の説明を省略する。
【００５９】
図１３において、走査管理部１８は、まずデータ系走査部１６を起動する（＃９４）。データ系走査部１６は、データ系ＡＰを対象として注目し（＃９５）、プロファイル設定情報Ｔ１に登録されているESSIDを有した十分な強度のビーコンを受信したか否かをチェックする（＃９６、＃９７）。このチェックでＹＥＳであれば、データ系走査部１６は帰属処理を実行する（＃９８）。十分な強度のビーコンが受信できない場合（＃９７でＮＯ）、走査管理部１８は音声系走査部１４を起動する（＃９９）。
【００６０】
音声系走査部１４は、音声系ＡＰを対象として注目し（＃１００）、プロファイル設定情報Ｔ１に登録されているESSIDを有した十分な強度のビーコンを受信したか否かをチェックする（＃１０１、＃１０２）。このチェックでＹＥＳであれば、音声系走査部１４は帰属処理を実行する（＃１０３）。十分な強度のビーコンが受信できない場合（＃１０２でＮＯ）、処理の流れは図１４の＃１０４に移る。
【００６１】
図１４において、音声系走査部１４は圏外スキャンの継続時間を規定する３０分タイマをチェックし（＃１０４）、動作中でなければ（＃１０４でＮＯ）、３０分タイマをスタートさせる（＃１０５）。その後、音声系走査部１４は音声系ＡＰを対象としてスキャンを始める（＃１０８）。モード設定がAutoである場合のスキャン形式はパッシブスキャンである。音声系走査部１４は、プロファイル設定情報Ｔ１に登録されているESSIDを有した十分な強度のビーコンを受信したか否かをチェックする（＃１０９、＃１１０）。このチェックでＹＥＳであれば、音声系走査部１４は、帰属処理を行って３０分タイマを停止させる（＃１１１）。十分な強度のビーコンが受信できない場合（＃１１０でＮＯ）、流れは＃１０４に戻る。３０分タイマのスタートから３０分が経過するまでの間は、圏外スキャンが繰り返される。３０分が経過すると（＃１０６でＹＥＳ）、音声系走査部１４はＷＬＡＮインタフェース２３をOFFする（＃１０７）。
【実施例２】
【００６２】
実施例２は、音声系動作時の圏外状態において、ＷＬＡＮインタフェース２３への駆動電力の供給を継続する動作例である。図１５に通信圏内の動作が示され、図１６に種々の状態変化に対応した動作が示される。上述の実施例１との差異の理解を容易にするため、図１５および図１６では図３および図４と異なる動作に下線を付してある。
【００６３】
[場合１ｂ]  音声系圏内においてビーコンの受信電界強度が十分に大きい場合（強電界強度）、音声系走査部１４は帰属しているＡＰから一定周期（例えば１００ｍｓ）で発信されるビーコンを例えば５秒間隔で受信して受信電界強度を監視する（ビーコン受信）。データ系走査部１６は動作を停止している。
【００６４】
[場合２ｂ]  音声系圏内においてビーコンの受信電界強度が比較的に小さい場合（弱電界強度）、音声系走査部１４は、他のＡＰを探索するスキャン動作（いわゆるハンドオーバ動作）を実行する。このとき、対象となるＡＰは上述のとおり音声系プロファイルリストＬ１に記録されたプロファイルに該当するＡＰのみである。データ系走査部１６は動作を停止しており、データ系プロファイルリストＬ２に記録されたプロファイルに該当するＡＰの探索は行われない。探索の対象が音声系ＡＰに限定されるので、データ系ＡＰを含む全てのＡＰを探索する場合と比べて、好ましいＡＰをより早期に検出する確率が大きい。このことは、音声通話中にＡＰ探索が行われたときにノイズ音として現れるおそれのある通話の寸断をより短くして音声品質を向上させる効果を奏する。
【００６５】
[場合３ｂ]  データ系圏内においてＡＰとの通信が確立されている場合、音声系走査部１４は動作を停止しており、データ系走査部１６はビーコン受信動作をする。
【００６６】
[場合４ｂ]  データ系走査部１６がビーコン受信をしている状態で節電のために液晶パネルのバックライトが消灯（画面OFF）すると、画面OFFから一定時間（例えば１５分）が経過した時点で、データ系走査部１６はビーコン受信動作を停止する。データ系走査部１６の動作が停止すると、音声系走査部１４は間隔固定型の圏外スキャン動作を始める。
【００６７】
[場合５ｂ]  データ系圏内においてデータ系走査部１６が動作を停止している状態でユーザ操作に呼応して画面がOFFからONに遷移した場合、データ系走査部１６はＡＰを探索するスキャン動作を実行する。探索の対象は、データ系プロファイルリストＬ２に記録されたプロファイルに該当するＡＰである。これと並行して、音声系走査部１４は以前に開始した圏外スキャン動作を継続する。データ系走査部１６がＡＰを検出すると、ＡＰとの間で認証およびアソシエーションが行われ、当該ＡＰに携帯電話端末１が帰属する。データ系走査部１６から走査管理部１８に帰属が通知されると、直ちに走査管理部１８は音声系走査部１４の動作を停止させる。
【００６８】
図１６では場合６ｂ〜１１ｂのそれぞれにおける動作が示される。
【００６９】
[場合６ｂ]  図１６中に波線矢印で示されるように携帯電話端末１が音声系圏内から圏外へ移動した場合、音声系走査部１４は圏外スキャンを開始する。データ系走査部１６は動作を停止している。この場合の圏外スキャンの形態は、ビーコンの受信またはプローブ要求のブロードキャストをスキャン開始直後は頻繁に実行し、その後は徐々に実行間隔を長くする間隔変更型である。例えば、２秒間隔から５分間隔へと間隔が変更される。上述した実施例１とは違って、この場合の圏外スキャンはＡＰが検出されずに一定時間（例えば３０分）が経過しても停止されない。
【００７０】
[場合７ｂ]  圏外において画面OFFを解除するユーザ操作が行われた場合、音声系走査部１４は以前に開始した圏外スキャンを継続する。音声系走査部１４による圏外スキャンと並行して、データ系走査部１６はスキャン動作をする。登録されているデータ系プロファイルに関わるチャンネルでひと通りＡＰを探索して検出できなければ、データ系走査部１６は動作を停止する。
【００７１】
[場合８ｂ]  通信中にデータ系圏内から圏外へ移動した場合、データ系走査部１６は履歴情報に基づいて最後に接続していたＡＰが属するデータ系圏内のＡＰを探索するスキャン動作をする。音声系走査部１４は動作を停止している。この場合、ＡＰは検出されない。画面がOFFとなって一定時間（例えば１５分）が経過した時点で、データ系走査部１６は動作を停止する。その後、音声系走査部は、停止から圏外スキャンを開始する。
【００７２】
[場合９ｂ]  画面OFFの状態のままデータ系圏内から圏外へ移動し、圏外で画面OFFを解除するユーザ操作が行われた場合、データ系走査部１６はスキャン動作を開始する。このとき、音声系走査部１４は以前に開始した圏外スキャンを継続する。この場合、ＡＰは検出されず、データ系走査部１６はひと通りのＡＰ探索を終えると動作を停止する。ＷＬＡＮインタフェース２３はONのままであり、音声系走査部１４は圏外スキャンを継続する。
【００７３】
[場合１０ｂ]  音声系走査部１４が圏外スキャンをしている状態で圏外から音声系圏内へ移動した場合、音声系走査部１４はＡＰを検出して帰属処理を開始する。データ系走査部１６は動作を停止している。
【００７４】
[場合１１ｂ]  音声系走査部１４が圏外スキャンをしている状態で圏外から音声系圏内へ移動し、その後に音声系圏内で画面OFFを解除するユーザ操作が行われた場合、データ系走査部１６はスキャン動作をする。音声系走査部１４がＡＰを検出して帰属処理を行い、それによって当該ＡＰに携帯電話端末１が帰属すると、走査管理部１８はデータ系走査部１６の動作を停止させる。
【００７５】
図１７は、音声系走査部１４およびデータ系走査部１６のモード設定別の動作を示す。
【００７６】
[音声系走査部の動作]  音声系走査部１４は、音声系圏内において、AutoまたはActiveの場合には５秒間隔でアクティブスキャンを行い、Passiveの場合には同じく５秒間隔でパッシブスキャンを行う。圏外において、音声系走査部１４は、AutoまたはPassiveの場合にはパッシブスキャンを行い、Activeの場合にはアクティブスキャンを行う。圏外におけるスキャン動作の形態は待機状態では間隔変更型であり、画面ON時では間隔固定型である。データ系圏内においてデータ系ＡＰとの通信が確立している接続状態では、音声系走査部１４はモード設定がいずれであっても動作を停止している。データ系圏内において接続状態でないとき、音声系走査部１４は、AutoまたはPassiveの場合にはパッシブスキャンを行い、Activeの場合にはアクティブスキャンを行う。音声系走査部１４は、ユーザ操作に呼応してＷＬＡＮ接続可能リストを表示するときには、モード設定がいずれであっても、音声系プロファイルを対象にパッシブスキャンを行う。
【００７７】
[データ系走査部の動作]  データ系走査部１６は、接続状態において画面OFFから１５分が経過すると、モード設定がいずれであっても、ビーコン受信動作を停止する。これにより接続状態は解除される。接続状態で圏外に移動したとき、データ系走査部１６は、AutoまたはPassiveの場合には履歴の示すＡＰを対象にパッシブスキャンを行い、Activeの場合には同じく履歴の示すＡＰを対象にアクティブスキャンを行う。画面ONに呼応して、データ系走査部１６は、AutoまたはPassiveの場合には履歴の示すＡＰを対象にパッシブスキャンを行い、Activeの場合には同じく履歴の示すＡＰを対象にアクティブスキャンを行う。ＡＰを検出した後は、モード設定がいずれであっても、データ系走査部１６はビーコン受信動作に移行する。音声系走査部１４によってＡＰが検出されると、モード設定がいずれであっても、データ系走査部１６はスキャン動作を停止する。ＷＬＡＮ接続可能リストを表示するときには、モード設定がいずれであっても、データ系走査部１６はデータ系プロファイルを対象にパッシブスキャンを行う。そして、データ系走査部１６は、接続状態でビーコン受信強度が低下してもハンドオーバ動作をせずに、ビーコン受信動作を続ける。
【００７８】
次にフローチャートを参照して携帯電話端末１の動作を説明する。例示するフローチャートは、スキャン形式に関わるモード設定が「Auto」である場合の動作の流れを示している。
【００７９】
図１８は音声系走査部１４が実行する音声系スキャン処理の流れを示す。音声系走査部１４は、音声系ＡＰとの通信が確立された接続状態において、ＡＰからの着信通知を待つ通常のビーコン処理を実行する（＃２２１）。音声系走査部１４は定期的にＷＬＡＮインタフェース２３からビーコンの受信強度を取得し（＃２２２）、受信強度の強弱を判定する（＃２２３、＃２２４）。受信強度が第１閾値よりも大きい強受信強度であれば（＃２２３でＹＥＳ）、流れは＃２２１に戻る。受信強度が第１閾値よりも小さくかつ接続維持の下限である第２閾値（第２閾値＜第１閾値）よりも大きい弱受信強度であれば（＃２２３でＮＯかつ＃２２４でＹＥＳ）、音声系走査部１４は圏内スキャン（＃２２５〜＃２２８）を実行する。
【００８０】
音声系走査部１４による圏内スキャンでは音声系ＡＰが対象となる（＃２２５）。モード設定がAutoである場合のスキャン形式はアクティブスキャンである。この場合、音声系走査部１４は、ＡＰからのプローブ応答を受信し（＃２２６）、受信強度が所定の条件を満たせば（＃２２７でＹＥＳ）、当該ＡＰとの通信を確立するハンドオーバ処理を実行する（＃２２８）。ハンドオーバ処理を実行しない場合（＃２２７でＮＯ）は直ちに流れは＃２２１に戻り、ハンドオーバ処理を実行する場合はその処理の終了後に流れは＃２２１に戻る。
【００８１】
一方、ビーコンの受信強度が第２閾値よりも小さい場合（＃２２４でＮＯ）、音声系走査部１４は圏外スキャン（＃２２９〜＃２３２）を実行する。音声系走査部１４は音声系プロファイルリストＬ１を参照して音声系ＡＰをスキャンの対象とする（＃２２９）。モード設定がAutoである場合のスキャン形式はパッシブスキャンである。音声系走査部１４は、プロファイル設定情報Ｔ１に登録されているESSIDを有した十分な強度のビーコンを受信したか否かをチェックする（＃２３０、＃２３１）。このチェックでＹＥＳであれば、音声系走査部１４は、ＡＰと通信を確立する帰属処理を行う（＃２３２）。帰属処理が終われば、流れは＃２２１に戻る。十分な強度のビーコンが受信できない場合（＃２３１でＮＯ）、流れは＃２２９に戻り、圏外スキャンが継続される。
【００８２】
図１９および図２０はデータ系走査部１６と音声系走査部１４によって実行されるデータ系スキャン処理の流れを示す。データ系走査部１６は、データ系ＡＰとの通信が確立された接続状態において、ＡＰからのビーコンを監視する通常のビーコン処理を実行する（＃２４０）。データ系走査部１６は定期的にＷＬＡＮインタフェース２３からビーコンの受信強度を取得し（＃２４１）、受信強度の強弱を判定する（＃２４２）。
【００８３】
受信強度が第２閾値よりも大きい場合、すなわち圏外でない場合（＃２４２でＮＯ）、データ系走査部１６はディスプレイのバックライトの状態をチェックする（＃２４３）。バックライトが点灯している状態（画面ON）は、ユーザがデータ系の通信サービスを利用している状態かまたは利用しようとしていると見なされる状態である。画面ONである場合（＃２４３でＹＥＳ）、データ系走査部１６はスキャン動作の継続時間を規定する１５分タイマが動作中であればそれを停止させる（＃２４４、＃２４５）。画面OFFである場合（＃２４３でＮＯ）、データ系走査部１６は１５分タイマが動作中でなければそれをスタートさせる（＃２４６、＃２４７）。また、画面OFFでありかつ１５分タイマのスタートから１５分が経過している場合（＃２４８でＹＥＳ）、データ系走査部１６は動作を停止し、音声系走査部１４が圏外スキャン（＃２４９〜＃２５１）を実行する。
【００８４】
音声系走査部１４は音声系プロファイルリストＬ１が示す音声系ＡＰを対象として圏外スキャン処理を行う（＃２４９）。モード設定がAutoである場合のスキャン形式はパッシブスキャンである。音声系走査部１４は、プロファイル設定情報Ｔ１に登録されているESSIDを有した十分な強度のビーコンを受信したか否か、すなわち帰属条件を満たすか否かをチェックする（＃２５０、＃２５１）。帰属条件が満たされるまで、音声系走査部１４は圏外スキャンを継続する。ただし、走査管理部１８からの指示があれば、音声系走査部１４は動作を停止する。
【００８５】
一方、圏外である場合（＃２４２でＹＥＳ）、データ系走査部１６および音声系走査部１４が図２０のように圏外スキャンを実行する。圏外スキャンに先立って、データ系走査部１６は１５分タイマをチェックし（図１９の＃２５２）、動作中でなければ（＃２５２でＮＯ）、１５分タイマをスタートさせる（＃２５３）。
【００８６】
図２０において、データ系走査部１６はデータ系ＡＰを対象としてスキャン処理を行い（＃２５５）、音声系走査部１４は音声系ＡＰを対象としてスキャン処理を行う（＃２５６）。モード設定がAutoである場合のスキャン形式はパッシブスキャンである。対象ＡＰからのビーコンを受信したデータ系走査部１６または音声系走査部１４は、受信強度が帰属条件を満たすか否かをチェックする（＃２５７、＃２５８）。帰属条件が満たされた場合、データ系走査部１６または音声系走査部１４は、帰属処理を行って１５分タイマを停止させる（＃２５９）。帰属処理が終われば、流れは＃２４０に戻り、通常のビーコン処理が実行される。帰属条件が満たされない場合（＃２５８でＮＯ）、流れは＃２５２に戻る。１５分タイマのスタートから１５分が経過するまでの間は、データ系走査部１６および音声系走査部１４によって圏外スキャンが行われ、１５分経過後は音声系走査部１４のみによって圏外スキャン（＃２４９〜＃２５１）が行われる。
【００８７】
図２１はＡＰとの通信が確立したままの待機状態からの復帰動作の流れを示す。待機状態では、ユーザが携帯電話端末１を使用していない状態であるので、節電のために画面がOFFとなっている。
【００８８】
図２１に示される待機状態からの復帰のルーチンは、画面OFFを解除するユーザ操作が行われたときに実行される。ユーザ操作が行われた時点でデータ系ＡＰを介する通信が行われている場合（＃２６０でＹＥＳ）、上述した図１９、２０のデータ系スキャン処理が実行される。これに対して、データ系ＡＰを介する通信が行われていない場合（＃２６０でＮＯ）、走査管理部１８がデータ系走査部１６を起動する（＃２６１）。
【００８９】
データ系走査部１６は、データ系ＡＰを対象としてスキャン処理を行う（＃２６２）。対象ＡＰからのビーコンを受信したデータ系走査部１６は、受信強度が帰属条件を満たすか否かをチェックする（＃２６３、＃２６４）。帰属条件が満たされた場合、データ系走査部１６は、帰属処理を行う（＃２６５）。帰属条件が満たされない場合（＃２６４でＮＯ）、上述した図１８の音声系スキャン処理が実行される。
【００９０】
以上の実施形態では、携帯電話端末１を無線通信装置として例に挙げたが、ＷＬＡＮインタフェースを有した他の各種の機器において、通信環境に応じてＷＬＡＮインタフェースを使用するスキャン動作の体系を切り替えることができる。ノート型パーソナルコンピュータおよびＰＤＡ（Personal Digital Assistant）を含む情報機器は無線通信装置となり得る。必ずしも無線通信装置が可搬型である必要はなく、据え置き型の無線通信装置においてスキャン動作の体系を切り替えることができる。
【００９１】
上述の実施形態では無線通信圏を音声通話に対応するかしないかによって２種に分類したが、３以上の種類に通信圏を分類して各種類に適したスキャン動作の体系を無線通信装置に選択させるようにしてもよい。特有のスキャン動作を設定すべき通信圏として、電子メールの送受に特化した通信圏、および無線通信装置の周囲の温度その他の環境情報をサーバに送るための通信圏が考えられる。
【符号の説明】
【００９２】
１    携帯電話端末（無線通信装置）
２，３    ＡＰ（無線局）
Ｔ１    プロファイル設定情報（無線局プロファイル）
Ｌ１    音声系プロファイルリスト（種別情報）
Ｌ２    データ系プロファイルリスト（種別情報）
１２    プロファイル管理部
２３    ＷＬＡＮインタフェース（受信部）
１４    音声系走査部（第１走査部）
１６    データ系走査部（第２走査部）
１８    走査管理部
【図１】
2011250342.tif 000003
【図２】
2011250342.tif 000004
【図３】
2011250342.tif 000005
【図４】
2011250342.tif 000006
【図５】
2011250342.tif 000007
【図６】
2011250342.tif 000008
【図７】
2011250342.tif 000009
【図８】
2011250342.tif 000010
【図９】
2011250342.tif 000011
【図１０】
2011250342.tif 000012
【図１１】
2011250342.tif 000013
【図１２】
2011250342.tif 000014
【図１３】
2011250342.tif 000015
【図１４】
2011250342.tif 000016
【図１５】
2011250342.tif 000017
【図１６】
2011250342.tif 000018
【図１７】
2011250342.tif 000019
【図１８】
2011250342.tif 000020
【図１９】
2011250342.tif 000021
【図２０】
2011250342.tif 000022
【図２１】
2011250342.tif 000023